(57)【要約】【課題】照明を有する映像表示装置において、操作により複数の画面のうちの一つの画面を選択するのに有効な映像表示装置を提供する。【解決手段】コントローラがメモリに記憶された画面の元となるデータを解析し、操作手段の操作により選択する画面に対応する照明の発光色を決定し、操作手段の操作と関連付けられた箇所の照明により、決定された発光色の発光を行う。例えば、上方向の操作手段により遷移する画面に対応する発光色の発光を、表示画面の上部に配置された照明により行う。【選択図】図２
2016161812.tif 000002
【特許請求の範囲】
【請求項１】
複数の画面の元となるデータを記憶可能なメモリと、
前記複数の画面のうち選択された少なくとも１つの画面を表示可能なディスプレイと、
指示された色で発光可能な少なくとも１つの照明と、
前記メモリに記憶されたデータから現表示用データを生成し、前記現表示用データに基づいて現表示画面を生成して前記ディスプレイに表示させ、前記メモリに記憶されたデータから前記現表示用データと異なる画面の表示用データを作成し、前記表示用データから照明用データを作成し、前記照明用データに基づいて決定した発光色で前記照明を発光させるコントローラと、
を備える映像表示装置。
【請求項２】
前記コントローラは、前記現表示画面と異なる画面の表示用データを作成し、前記表示用データから照明用データを作成する際に、前記メモリに記憶された予め前記表示用データに対応づけられた照明用データを参照し作成する請求項１記載の映像表示装置。
【請求項３】
ユーザーからの入力を受け付け可能な操作部を備え、
前記コントローラは、前記操作部が受け付けた入力に基づいて前記メモリに記憶されたデータから前記現表示画面と異なる画面の表示用データを作成し、前記表示用データに基づく画面を生成して前記ディスプレイに表示させ、前記表示用データとは異なり前記操作部が受け付け可能な入力に対応する画面の表示用データから照明用データを作成し、前記照明を前記照明用データに基づいて決定した発光色で発光させる、
請求項１記載の映像表示装置。
【請求項４】
前記操作部は、方向に関する入力を受け付け可能であり、
前記コントローラは、前記操作部が受け付ける方向と関連付けられた前記照明を、決定した発光色で発光させる、
請求項３記載の映像表示装置。
【請求項５】
前記操作部が受け付ける方向に基づいて、現在前記ディスプレイに表示させている画面に対して指定された方向に対応する画面を、前記ディスプレイに表示させる、
請求項４記載の映像表示装置。
【請求項６】
前記コントローラは、前記操作部が受け付ける方向に対応する画面を生成するための元データが存在しない場合、受け付ける方向と関連付けられた前記照明を発光させない、
請求項４記載の映像表示装置。
【発明の詳細な説明】
【技術分野】
【０００１】
本開示は、照明を有する映像表示装置に関する。
【背景技術】
【０００２】
特許文献１は、映像表示装置の有する照明を、表示している映像に関連づけて発光させる映像表示装置を開示する。この映像表示装置は、表示する映像と連動した照明により、映像視聴の演出効果を高めることが可能となる。
【先行技術文献】
【特許文献】
【０００３】
【特許文献１】特表２０１０−５１２６７７号公報
【発明の概要】
【発明が解決しようとする課題】
【０００４】
本開示は、照明を有する映像表示装置において、操作により複数の画面のうちの一つの画面を選択するのに有効な映像表示装置を提供する。
【課題を解決するための手段】
【０００５】
本開示における映像表示装置は、複数の画面の元となるデータを記憶可能なメモリと、
複数の画面のうち選択された少なくとも１つの画面を表示可能なディスプレイと、指示された色で発光可能な少なくとも１つの照明と、メモリに記憶されたデータから現表示用データを生成し、現表示用データに基づいて現表示画面を生成してディスプレイに表示させ、メモリに記憶されたデータから現表示用データと異なる画面の表示用データを作成し、表示用データから照明用データを作成し、照明用データに基づいて決定した発光色で照明を発光させるコントローラと、を備える。
【発明の効果】
【０００６】
本開示における映像表示装置は、操作により複数の画面のうちの一つの画面を選択するのに有効である。
【図面の簡単な説明】
【０００７】
【図１】実施の形態に係る映像表示装置の電気的構成を示すブロック図
【図２】実施の形態に係る映像表示装置の各構成の配置を示す図
【図３】実施の形態に係る映像表示装置の第１制御例における画面遷移フローを示す図
【図４】実施の形態に係る映像表示装置の第１制御例における照明の発光の具体例を示す図
【図５】地形と発光色とを対応させるテーブルを示す図
【図６】実施の形態に係る映像表示装置の第２制御例における画面遷移フローを示す図
【図７】実施の形態に係る映像表示装置の第２制御例における照明の発光の具体例を示す図
【図８】タッチパッド１５の操作方向とアプリケーションとを対応させるテーブルを示す図
【図９】アプリケーションと発光色とを対応させるテーブルを示す図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
説明中で同じ符号、記号、数字は、特に説明が無い限り、同じ構成要素を示すものとする。また、特に説明が無い限り本発明に必須でない構成要素は図示しないものとする。
【００１１】
（実施の形態１）
以下、図１〜９を用いて、実施の形態１を説明する。図１は、本実施の形態における映像表示装置１の電気的構成を示すブロック図である。映像表示装置１は、ディスプレイ１１、メモリ１２、照明１３、タッチパッド１５、及び、コントローラ１４、を備える。メモリ１２は、ディスプレイ１１に表示する複数の映像（画面）の元となる複数のデータを記憶可能である。ディスプレイ１１は、画面の表示を行う。照明１３は、ディスプレイ１１の周辺を取り囲んで配置される。タッチパッド１５は、ユーザーからの操作入力を受け付け可能である。タッチパッド１５は、特に方向に関する入力を受け付け可能である。コントローラ１４は、メモリ１２上のデータに基づき照明１３の発光色の制御を行う。また、コントローラ１４は、タッチパッド１５からの入力によりディスプレイ１１により表示される画面の制御を行う。
【００１２】
ここで画面とは、コントローラ１４がディスプレイ１１に表示させる映像である。メモリ１２に記憶されたデータに基づいてコントローラ１４が生成した映像、例えば画像データに基づいてコントローラが描画した映像や、地図データに基づいてコントローラが描画した地図の映像は、画面の一例である。また、コントローラ１４がアプリケーションを実行することにより描画するアプリケーションの画面も、画面の一例である。
【００１３】
図２は、本実施の形態における映像表示装置１の各構成の配置を示す図である。照明１３は、照明１３Ｔ、照明１３Ｂ、照明１３Ｌ、および照明１３Ｒを備える。ディスプレイ１１の上部、下部、左部、右部に、それぞれ照明１３Ｔ、照明１３Ｂ、照明１３Ｌ、および照明１３Ｒが配置される。照明１３Ｔ、照明１３Ｂ、照明１３Ｌ、および照明１３Ｒは、それぞれ独立に、任意の発光色で発光することが可能である。また、タッチパッド１５がユーザーに提供されている。タッチパッド１５は、操作部の一例である。タッチパッド１５は、画面の選択方法として、ユーザーに上、下、左、右の入力を提供する。ユーザーが、タッチパッド１５を操作して上、下、左および右のいずれかを入力する。コントローラ１４は、タッチパッド１５が受け付けた入力に基づいて、メモリ１２に記憶された複数のデータのうちの１つを表示用のデータとして選択し、この表示用データに基づく画面を生成し、ディスプレイ１１に表示させる。例えば、表示している画面に対して上下左右に連続する画面が存在する場合、コントローラ１４は、タッチパッド１５が受け付ける上下左右の入力方向に対応して、現在表示している画面の上下左右に位置する画面を表示する。
【００１４】
また、コントローラ１４は、ディスプレイ１１にある画面が表示されているときに、タッチパッド１５からの入力に応じて切り替わるべき画面に関連した発光色で照明１３を発光させる。言い換えると、コントローラ１４は、現在ディスプレイ１１に表示している画面の元となる表示用のデータとは異なり、且つ、タッチパッド１５が受け付け可能な入力に対応するデータを照明用のデータとして選択し、タッチパッド１５が受け付け可能な入力に対応する照明１３を照明用のデータに基づいて決定した発光色で発光させる。例えば、コントローラ１４は、タッチパッド１５により上が選択されることにより表示されるべき画面に関連した発光色で、ディスプレイ１１の情報に位置する照明１３Ｔを発光させる。同様に、コントローラ１４は、タッチパッド１５により下、左、および右が選択されることにより表示されるべき画面に関連した発光色で照明１３Ｂ、照明１３Ｌ、および照明１３Ｒをそれぞれ発光させる。すなわち、コントローラ１４は、タッチパッド１５が受け付ける方向の入力と関連付けられた照明１３を、タッチパッド１５が受け付ける方向の入力に応じたデータに基づいて決定した発光色で発光させる。
【００１５】
以上の照明制御および画面制御を行う映像表示装置１の動作について、説明する。
【００１６】
メモリ１２には、複数画面の生成するためのデータと、画面同志の関係を示すデータとが記憶されている。コントローラ１４は、メモリ１２のデータを解析することにより、照明１３の発光制御を行う。また、コントローラ１４は、タッチパッド１５からの入力に基づき、ディスプレイ１１により表示される画面の切り替えを行う。
【００１７】
照明１３の制御について説明する。コントローラ１４は、タッチパッド１５の上、下、左、右が選択された際にそれぞれ遷移を行う画面データから、照明１３の発光色を決定し、その発光色で照明１３を発光させる。コントローラ１４による発光色の決定方法としては、画面に表示するデータの解析による決定方法、予め画面に紐づけられた発光色による決定方法などが考えられる。
【００１８】
次に、より具体的に、画面および照明の制御例について説明を行う。
【００１９】
図３および図４は、本実施の形態における映像表示装置１の第１の制御例を示す図である。図３は、第１の制御例における画面遷移フローを示す図である。図４は、第１の制御例における照明１３の発光の具体例を示す図である。第１の制御例では、ディスプレイ１１により地図画面が表示されている。また、タッチパッド１５の上、下、左、右を選択することにより、現在表示されている地図画面の上部、下部、左部、右部の地図画面が表示される。図４は、タッチパッド１５の上、下、左、右が選択されることにより表示される画面に関連づけられた発光色の発光を照明１３により行う例を示している。現状表示している地図画面３１の上部には、森が多い地図３２が存在するため、地図画面３１がディスプレイ１１に表示されているときの上部の照明１３Ｔは緑色の発光色で発光が行われる。現状表示している地図画面３１の左部には、山が多い地図３３が存在するため、地図画面３１がディスプレイ１１に表示されているときの左部の照明１３Ｌでは茶色の発光色で発光が行われる。現状表示している地図画面３１の下部には、海が多い地図３４が存在するため、地図画面３１がディスプレイ１１に表示されているときの下部の照明１３Ｂでは青色の発光色で発光が行われる。現状表示している地図画面３１の右部には、地図が存在しないため、地図画面３１がディスプレイ１１に表示されているときの左部の照明１３Ｒは無発光となる。
【００２０】
上記のような制御は、コントローラ１４が次のように動作することで実現される。メモリ１２は、地図のデータを記憶している。メモリに記憶される複数の地図データは、それぞれ隣接した地図の画面の元となるデータである。また、メモリ１２は、地図の地形と照明１３の発光色との対応関係を示すテーブルを記憶している。図５は、地形と発光色とを対応させるテーブルを示す図である。
【００２１】
コントローラ１４は、ディスプレイ１１に表示すべき地図のデータを読み出して地図画面を生成し、地図画面３１としてディスプレイ１１に表示する。コントローラ１４は、タッチパッド１５が受け付ける方向の入力に基づいて、現在ディスプレイ１１に表示させている地図の画面を基準として、タッチパッド１５により指定された方向に隣接する地図のデータをメモリ１２から読み出し、地図画面を生成してディスプレイ１１に表示させる。
【００２２】
また、コントローラ１４は、現在表示している地図画面３１に隣接する地図のデータを読み出して解析することにより、その地図における代表的な地形を判定する。そしてコントローラ１４は、判定した地形に基づいて図５のテーブルを参照し、照明１３の発光色を決定する。
【００２３】
例えば、コントローラ１４が、地図画面３１の上に位置する地図３２に対応するデータ中において森を示すデータの割合が相対的に高いと判断した場合、コントローラ１４は、ディスプレイ１１の上方に位置する照明１３Ｔの発光色を、森に対応する緑色とし、照明１３Ｔを緑色で発光させる。同様に、コントローラ１４が、地図画面３１の左に位置する地図３３に対応するデータ中において山を示すデータの割合が相対的に高いと判断した場合、コントローラ１４は、ディスプレイ１１の左方に位置する照明１３Ｌの発光色を、山に対応する茶色とし、照明１３Ｌを茶色で発光させる。コントローラ１４が、地図画面３１の下に位置する地図３４に対応するデータ中において海を示すデータの割合が相対的に高いと判断した場合、コントローラ１４は、ディスプレイ１１の下方に位置する照明１３Ｂの発光色を、海に対応する青色とし、照明１３Ｂを青色で発光させる。コントローラ１４が、地図画面３１の右に位置する地図のデータが存在しないと判断した場合、コントローラ１４は、ディスプレイ１１の右方に位置する照明１３Ｒを無発光とする。すなわち、コントローラ１４は、タッチパッド１５が受け付ける方向に対応する画面を生成するための元データが存在しないと判断した場合、受け付ける方向に関連付けられた照明１３を発光させない。
【００２４】
以上の照明制御により、ユーザーは現在表示している地図画面の上、下、左、右に位置する地図の概要を直感的に理解することができる。
【００２５】
図６および図７は、本実施の形態における映像表示装置１の第２の制御例を示す図である。図６は、第２の制御例における画面遷移フローを示す図である。図７は、第２の制御例における照明１３の発光の具体例を示す図である。第２の制御例では、パソコンやタブレットにおけるアプリケーションにより生成される画面を表示対象としている。ディスプレイ１１により現在表示されている画面はブラウザアプリケーション画面５１である。また、タッチパッド１５の上、下、左、右を選択することにより、それぞれ対応するアプリケーションが選択されディスプレイ１１に表示される。すなわち、タッチパッド１５の上、下、右を選択することにより、表計算アプリケーション、文書作成アプリケーション、描画アプリケーションが選択され、表示される。タッチパッド１５の左を選択した場合には、対応するアプリケーションが存在しないため、アプリケーションの遷移は行われないものとする。図７は、タッチパッド１５の上、下、左、右が選択されることにより表示されるアプリケーションに関連づけられた発光色の発光を照明１３により行う例を示している。タッチパッド１５の上を選択することにより、表計算アプリケーションが選択され、表計算アプリケーション画面５２が表示されるため、ブラウザ画面５１がディスプレイ１１に表示されているときの上部の照明１３Ｔでは緑色の発光色で発光が行われる。タッチパッド１５の下を選択することより、文書作成アプリケーションが選択され、文書作成アプリケーション画面５３が表示されるため、ブラウザ画面５１がディスプレイ１１に表示されているときの下部の照明１３Ｂでは青色の発光色で発光が行われる。タッチパッド１５の右を選択することにより、描画アプリケーションが選択され、描画アプリケーション画面５４が表示されるため、ブラウザ画面５１がディスプレイ１１に表示されているときの右部の照明１３Ｒでは赤色の発光色で発光が行われる。タッチパッド１５の左を選択した場合には、アプリケーションの遷移は行われないため、ブラウザ画面５１がディスプレイ１１に表示されているときの左部の照明は無発光となる。
【００２６】
上記のような制御は、コントローラ１４が次のように動作することで実現される。メモリ１２は、タッチパッド１５の操作方向と、アプリケーションとの対応関係を示すテーブルを記憶している。また、メモリ１２は、アプリケーションと、照明１３の発光色との対応関係を示すテーブルを記憶している。図８は、タッチパッド１５の操作方向とアプリケーションとを対応させるテーブルを示す図である。図９は、アプリケーションと発光色とを対応させるテーブルを示す図である。コントローラ１４は、アプリケーションを実行してアプリケーションの画面を生成し、ディスプレイ１１に表示する。現在のアプリケーションがブラウザアプリケーションであれば、ブラウザアプリケーションを実行することによりブラウザアプリケーション画面５１を生成してディスプレイ１１に表示する。また、コントローラ１４は、ブラウザアプリケーション画面５１を表示しているときにタッチパッド１５が操作されると、操作方向に応じて図８に示すテーブルを参照し、表示するアプリケーションを決定し、そのアプリケーションの画面をディスプレイ１１に表示する。また、コントローラ１４は図９に示すテーブルを参照し、アプリケーションに対応する発光色を取得する。さらにコントローラ１４は図８に示すテーブルを参照し、アプリケーションに対応する操作方向を取得することで、操作方向と発光色との対応を決定する。コントローラ１４は、操作方向に対応する照明１３を、取得した発光色で発光させる。
【００２７】
例えばコントローラ１４は、２つのテーブルを参照することにより、上の操作に対する発光色として緑色を取得する。そしてコントローラ１４は、ディスプレイ１１の上方に位置する照明１３Ｔの発光色を、テーブルを参照して取得した緑色とし、照明１３Ｔを緑色で発光させる。同様にコントローラ１４は、テーブルを参照することにより、下の操作に対する発光色として青色を取得する。そしてコントローラ１４は、ディスプレイ１１の下方に位置する照明１３Ｂの発光色を、テーブルを参照して取得した青色とし、照明１３Ｂを青色で発光させる。コントローラ１４は、テーブルを参照することにより、右の操作に対する発光色として赤色を取得する。そしてコントローラ１４は、ディスプレイ１１の右方に位置する照明１３Ｒの発光色を、テーブルを参照して取得した赤色とし、照明１３Ｒを赤色で発光させる。コントローラ１４は、テーブルを参照することにより、左の操作に対する発光色が設定されていないことを認識する。コントローラ１４は、ディスプレイ１１の左方に位置する照明１３Ｌを無発光とする。すなわち、コントローラ１４は、タッチパッド１５が受け付ける方向に対応する画面を生成するための元データが存在しないと判断した場合、受け付ける方向に関連付けられた照明１３を発光させない。
【００２８】
なお、現在ディスプレイ１１に表示されているアプリケーションに応じてタッチパッド１５の操作方向に対応するアプリケーションが変化する場合は、その都度、図８のテーブルに相当する操作方向とアプリケーションとの対応関係を更新し、上記の動作を繰り返せばよい。
【００２９】
以上の照明制御により、ユーザーは上、下、左、右の操作により選択できるアプリを直感的に理解し、容易にアプリを選択可能な映像表示装置１を提供することが可能となる。
【００３０】
以上のように、本実施の形態に置いて、映像表示装置１は、複数の画面の元となる複数のデータを記憶可能なメモリ１２と、複数の画面を表示可能なディスプレイ１１と、指示された色で発光可能な少なくとも１つの照明１３と、メモリ１２に記憶された複数のデータのうちの１つを表示用データとして選択し、表示用データに基づく画面を生成してディスプレイ１１に表示させ、表示用データと異なるデータのうち少なくとも１つを照明用データとして選択し、照明用データに基づいて決定した発光色で照明１３を発光させるコントローラ１４と、を備える。
【００３１】
これにより、タッチパッド１５の操作と関連付けられた箇所の照明１３をタッチパッド１５の操作により遷移する画面と関連した発光色で発光することにより、ユーザーが容易に操作可能な映像表示装置１を提供することができる。すなわち、本実施の形態の映像表示装置１は、操作により複数の画面のうちの一つの画面を選択するのに有効である。
【００３２】
（他の実施の形態）
以上のように、本出願において開示する技術の例示として、実施の形態１を説明した。しかしながら、本開示における技術は、これに限定されず、変更、置き換え、付加、省略などを行った実施の形態にも適用できる。また、上記実施の形態１で説明した各構成要素を組み合わせて、新たな実施の形態とすることも可能である。
【００３３】
そこで、以下、他の実施の形態を例示する。
【００３４】
（１）
上記実施の形態では、操作部の一例としてタッチパッド１５を備える構成を説明した。操作部としては、ユーザーから方向の入力を受け付けることが可能であればどのようなものであってもよい。例えば操作部としては、タッチパネルやジョイスティック等であってもよい。
【００３５】
（２）
上記実施の形態では、タッチパッド１５により上下左右の方向の入力を受け付け、その方向に応じて画面選択を行う構成を説明した。画面選択を行う方向は、上下左右以外の方向であってもよい。例えば、上下左右に加えて左上、左下、右上、右下の斜め方向入力に伴う画面選択を行うようにし、左、右、上、下に加えて、左上、左下、右上、右下に対応する箇所の照明制御を行うことも可能である。
【００３６】
（３）
上記実施の形態では、各照明１３の発光色は単一色として説明した。各照明１３の発光色は、単一色ではなく、複数色としてもよい。例えば第１の制御例では、遷移する地図画面によっては一部が青（海）で、一部が茶色（山）であるような発光を行うようにしてもよい。
【００３７】
（４）
本開示は、タッチパッド１５により選択される画面が動画である場合にも有効である。その場合、動画中の特定の１枚の画像に基づいて発光色を決めてもよいし、複数枚の画像に基づいて発光色を決めてもよい。
【００３８】
（５）
本開示は、各箇所の照明の発光色を、時間的に変化させる場合にも有効である。例えば、（４）で述べた動画が選択手段により選択される場合には、照明により動画に応じた時間的に変化する発光色を発光するようにしてもよい。
【００３９】
（６）上記実施の形態では、表示するアプリケーションに対応する発光色を、テーブルに記憶しておき、テーブルを参照することにより発光色を決定する構成について説明した。発光色は、アプリケーションに関するデータを解析することにより決定してもよい。具体的には、コントローラ１４が、アプリケーションに対応するアイコンで使用される色を解析し、使用されている主要な色を発光色としてもよい。例えば、コントローラ１４が表計算アプリケーションのアイコンを解析した結果、主に緑色が使用されていると判断した場合、表計算アプリケーションに対応する発光色を緑色としてもよい。
【００４０】
（７）
本開示は、操作手段による操作により画面のすべてが入れ替わる場合でなく、画面の一部分が入れ替わるような場合にも有効である。例えば、地図画面の表示などにおいて一つの操作により画面がディスプレイの１ドットずつ移動するような場合に対しても有効である。この際に、メモリに記憶されたデータは、本開示のように一画面毎に区切られたものではなく、メモリに全体画面データが記憶され、全体画面データから現表示画面用のデータを作成し、操作により表示される画面の表示データも全体画面データから作成され、更に照明用データが作成される。
【産業上の利用可能性】
【００４１】
本開示は、照明を有する映像表示装置に適用可能である。
【符号の説明】
【００４２】
映像表示装置
１１  ディスプレイ
１２  メモリ
１３  照明
１３Ｔ  照明
１３Ｂ  照明
１３Ｌ  照明
１３Ｒ  照明
１４  コントローラ
１５  タッチパッド
【図１】
2016161812.tif 000003
【図２】
2016161812.tif 000004
【図３】
2016161812.tif 000005
【図４】
2016161812.tif 000006
【図５】
2016161812.tif 000007
【図６】
2016161812.tif 000008
【図７】
2016161812.tif 000009
【図８】
2016161812.tif 000010
【図９】
2016161812.tif 000011